(57)【特許請求の範囲】
【請求項１】
吸収塔であって、
下方の大直径のタンクセクションにして、該大直径のタンクセクション内の液体スラリ高さ位置に上昇する吸収用の液体スラリを受けるための大直径のタンクセクションと、
前記液体スラリと、再循環される液体スラリとよりなる液体洗浄剤を煙道ガスと混合させ、該煙道ガスから不純物を吸収するための上方の小直径の吸収セクションと、
前記大直径のタンクセクションと前記小直径の吸収セクションとの間をある角度で伸延し、前記大直径のタンクセクションと前記小直径の吸収セクションとの間にガス及び液体のための液密の且つ気密の通路を形成する切頭円錐形状の移行構造部分にして、前記上方の小直径の吸収セクションが、該上方の小直径の吸収セクションからの液体スラリの落下領域を大直径のタンクセクションの中心部に制限し、かくして該上方の小直径の吸収セクションの周囲に、煙道ガスが低速下に拡散され且つ一様に分与される低抵抗の煙道ガス通路を提供するところの、落下する液体スラリの無い環状の移行領域を残す切頭円錐形状の移行構造部分と、
下方の大直径のタンクセクションと上方の小直径の吸収セクションとの間で切頭円錐形状の移行構造部分に接続され且つ該切頭円錐形状の移行構造部分と連通し、該切頭円錐形状の移行構造部分を介して吸収塔に煙道ガスを流入させるための入口ハウジングにして、該入口ハウジングの下方プレートを０．３〜３．０ｍ越えて伸延する上部プレートを有し、該上部プレートが入口ハウジングに、該入口ハウジング内への液体スラリの逆流に対する保護を提供する入口ハウジングと、を含む入口アセンブリと、
からなる吸収塔。
【請求項２】
切頭円錐形状の移行構造部分が１５〜９０度の角度で伸延される請求項１の吸収塔。
【請求項３】
入口ハウジングが、切頭円錐形状の移行構造部分の垂直方向高さと実質的に等しい高さＸと、切頭円錐形状の移行構造部分の円周方向に沿って部分的に伸延する幅Ｙとを有する請求項１の吸収塔。
【請求項４】
入口ハウジングの幅が、切頭円錐形状の移行構造部分の円周方向に沿って９０度〜１８０度に伸延する請求項３の吸収塔。
【請求項５】
吸収セクションにおける、タンクセクションから部分的に再循環されるスラリを噴霧するための噴霧手段と、少なくとも１つの穴開きトレーと、噴霧手段の上方の、少なくとも１つのミスト除去装置とを更に含んでいる請求項１の吸収塔。
【請求項６】
吸収セクションの下方の開口の周囲から、切頭円錐形状の移行構造部分の上端位置に伸延する棚部分を含む請求項１の吸収塔。
【請求項７】
タンクセクションから部分的に再循環された吸収用の液体スラリを噴霧するための噴霧手段を吸収セクション内に含んでいる請求項１の吸収塔。
【請求項８】
上方の小直径の吸収セクションと、下方の大直径のタンクセクションとを有する吸収塔を使用して煙道ガスから汚染物質を吸収するための方法であって、
前記大直径のタンクセクションと前記小直径の吸収セクションとの間をある角度で伸延し、前記大直径のタンクセクションと前記小直径の吸収セクションとの間にガス及び液体のための液密の且つ気密の通路を形成する切頭円錐形状の移行構造部分にして、前記上方の小直径の吸収セクションが、該上方の小直径の吸収セクションからの液体スラリの落下領域を大直径のタンクセクションの中心部に制限し、かくして該上方の小直径の吸収セクションの周囲に、煙道ガスが低速下に拡散され且つ一様に分与される低抵抗の煙道ガス通路を提供するところの、落下する液体スラリの無い環状の移行領域を残す切頭円錐形状の移行構造部分を使用して、前記大直径のタンクセクションの上端を吸収セクションの下端に結合すること、
下方の大直径のタンクセクションと上方の小直径の吸収セクションとの間で切頭円錐形状の移行構造部分に接続され且つ該切頭円錐形状の移行構造部分と連通し、該切頭円錐形状の移行構造部分を介して吸収塔に煙道ガスを流入させるための入口ハウジングにして、該入口ハウジングの下方プレートを０．３〜３．０ｍ越えて伸延する上部プレートを有し、該上部プレートが入口ハウジングに、該入口ハウジング内への液体スラリの逆流に対する保護を提供する入口ハウジングを通して煙道ガスを前記切頭円錐形状の移行構造部分内に搬送することにより、該煙道ガスを、前記環状の切頭円錐形状の移行領域の周囲に容易に拡散させ且つ吸収セクションの周囲に一様に分与させ、吸収セクション内部を上昇させること、
吸収セクション内の煙道ガス中に吸収用の液体を噴霧すること、
を含む方法。
【請求項９】
下方の大直径のタンクセクションから上方の小直径の吸収セクションに吸収用の液体を再循環させ、再循環させた吸収用の液体を煙道ガス中に噴霧することを更に含んでいる請求項８の方法。
【発明の詳細な説明】
【０００１】
（発明の分野）
本発明は、一般に、煙道ガス脱硫吸収装置に関し、詳しくは、液体スラリ層を収納する下方の大直径のタンクセクションと、上方の小直径の吸収セクションとの間の移行構造部分にガス入口を有する、新規且つ有益な吸収塔構成に関する。
【０００２】
（従来技術の説明）
高速型の吸収塔には、資本コストの低下、土地条件の縮小、吸収塔が短くなることによるコンパクト化、ＳＯ２除去効率の向上といった経済的利益があることから、そうした高速型の吸収塔の製品化及び開発が進められている。他方、高速化は、ガス流れに対する抵抗の増大、ガス相及び液体相の流体的挙動の変化に対するシステム上の感度増大等、幾つかの不利益もある。物理モデルによる研究では、吸収塔の入口を通過するガス速度が、吸収塔でのガス分与や吸収セクション及びミスト除去装置の性能、作動に夫々悪影響を与えることが分かった。
吸収塔の物理形状に関わらず、ガス流れに対する抵抗は、有用抵抗か寄生抵抗かに分類される。有用抵抗は、直接且つ全体的にスクラビング効率に変換され、吸収セクションの圧力低下の如く、ガスの再配分に関与する。寄生抵抗は、ガスを、化学プロセスに有効に関与させることなく吸収塔領域を通して送るために使用される。入口抵抗及び出口抵抗は寄生抵抗の良い例である。出口抵抗は、旋回ベーンその他のガス分与装置を使用することで簡単に解決することができる。しかしながら、入口抵抗、即ち入口圧力の低下を減少させるのは難しい。なぜなら、入口圧力の低下は、吸収塔全体を通しての、ガスとスクラビング液との相互作用が組み合わされたものだからである。
【０００３】
伝統的な吸収塔の入口の寸法及び形状は様々であるが、入口の形状は基本的には同じである。図１には、一般に販売される入口設計形状が示される（保護覆い無しの状態で）この設計形状では、吸収塔壁１２から流出する液体、もしくは、接近する噴霧ヘッダから噴霧される液体は、入口ケーシング１４の内部に落下し、かくして湿／乾インターフェース位置に固形物が付着成長し、これらの固形物がガスの不均一配分や高抵抗の発生原因となる。この問題を解決するために、図２に示すような貫入形の保護覆い１６が入口１４の上部に配置された（米国特許第５，２８１，４０１号参照）。保護覆い１６によって、（高温ガスと液体カーテンとの間の）接触位置が吸収塔の入口近辺からその中心部に逸らされ、高温ガスと入口煙道表面との間の接触が最小である領域でガスが湿潤化されるようになり、固形物の付着成長が回避される。この設計形状は、噴霧セクションでの抵抗が、吸収塔壁１２の更に上方のミスト除去装置に達する以前におけるガスの一様な分布に悪影響を及ぼすに十分に大きい場合に、伝統的なガス速度下において機能的であることが分かった。しかし、ガス速度が増すに従い、液体カーテンの抵抗がシステム全体での寄生的な圧力低下を増大させるので、ガス流れ模様の変形はより臨界的なものとなる。
液体カーテンは、再分与するガスを湿潤化するため及びそうした再分与を助成するために必要であるが、２つの重大な欠点がある。即ち、液体カーテンによって、入口圧力が保護覆い無しの入口でのそれと比較して大きく低下することであり、吸収塔を通して上昇するガスの流れ模様を変形させることである。
【０００４】
新世代の高速型吸収塔では、ガスは毎秒約４．５〜６ｍ（毎秒約１５〜２０ｆｔ）の間の速度で流れる。ガス流れ模様が少し変化すると、ガス速度が部分的にミスト除去装置の臨界速度に近い、あるいはそれを上回る程に高まり、ミスト除去装置に機能上の不具合を生じさせる恐れがある。
入口流れ面積を増大することで、入口ガス速度が高いことによる負の影響をなくし、ガス速度を従来通りの毎分約９００ｍ（毎分３０００ｆｔ）に制限することができる。この解決策は簡単且つ実用的ではあるが、入口アスペクト比（高さ対幅）が大きくなり、吸収塔の高さと入口抵抗も増大する。吸収塔の高さが増大すると、高速スクラビングにより得られる利益が最小化してしまう。その他の選択肢として、新世代の高速型吸収塔のための、圧力低下の小さい改良型のガス入口を、あるいは、入口抵抗を著しく増大させることなく、ガス流れを再分与するための入手可能な手段をシステム内で使用することが含まれる。
工業上の最新の入口設計形状では、保護覆い１６が入口ケーシング１４の上部に組み込まれ、煙道ガス流れから液体スラリを遠ざけると共に、固形物を湿／乾インターフェース位置に付着させないようになっている。しかしながら、高速型吸収塔での早いガス速度では、高密度の液体カーテンによってガス通路が妨害され、ガスが側方に逸らされてガス速度が増大し、恐らくは流れ模様が変形する。
モデル研究及び運転経験によれば、吸収塔でのガス速度が毎秒約０．３〜３．７ｍ（毎秒約１〜１２．５ｆｔ）の間であれば、現在の入口設計形状で、毎分約９００ｍ（毎分約３０００ｆｔ）あるいはそれ以下の入口速度で吸収塔を横断する良好なガス分与が提供されることが分かった。良好なガス分与は、部分的には、流入するガスに保護覆い１６から流下する液体カーテンの抵抗によるものである。保護覆いの主要な機能は、入口が湿気ないようにすること及び固形物が付着しないようにすることであり、また、流入するガスを低速化させるための十分な抵抗を提供し、ガスが吸収塔の流れ領域を横断して再分与されるに十分な時間を与えることである。吸収塔でのガス速度が毎秒約３．７ｍ（毎秒約１２．５ｆｔ）以下であれば、吸収塔内での妥当なガス流れ模様の変形によっては、ガス速度がミスト除去装置の機能を損なう臨界速度に近づくことはない。
【０００５】
ガス速度が毎秒約３．７ｍ（毎秒約１２．５ｆｔ）を越え、毎秒約６ｍ（毎秒約２０ｆｔ）に近づくと、保護覆いから落下する液体カーテンの抵抗が大きくなり、ガス流れ模様は大きく変形するようになる。
先ず、新世代の、非侵入型の保護覆いを導入することにより、保護覆いの抵抗を減少させるための幾つかの試みが実施された。そうした設計形状の保護覆いは入口のガス流れから移動され、入口の上方に配置される。米国特許第５，４０３，５２３号、第５，５５８，８１８号、第５，６４８，０２２号を参照されたい。これらの米国特許における開発は、本来の保護覆いをガス流路内に導入することにより寄生的に発生する入口位置での圧力低下の減少に貢献する。しかしながら、上記各米国特許のものでは、吸収塔は約９０ｃｍ（３ｆｔ）高くなり、しかも、高密度の液体カーテンの影響を完全に取り除くことができない。
従来のこうした努力は、入口位置での寄生的な抵抗を減少させるための、方向としては正しいステップであった。しかし、いずれの場合にも液体カーテンの抵抗が残る点は同じである。（水）約２．５４ｃｍ（１ｉｎ）分の圧力低下が、発電所の寿命に渡り凡そ１００万ドル分に評価されることを考えれば、吸収塔の寄生抵抗を減少させることによって、競争上の著しい優位性が提供される。以下に示す表は、保護覆い付き及びそれ無しでの圧力低下を比較したものである。
【０００６】
【表１】
0003549484.tif 000002
【０００７】
（発明が解決しようとする課題）
解決しようとする課題は、
１．下方の大直径のタンクセクションにして、該大直径のタンクセクション内の液体スラリ高さ位置に上昇する吸収用の液体スラリを受けるための大直径のタンクセクションと、前記液体スラリと、再循環される液体スラリとよりなる液体洗浄剤を煙道ガスと混合させ、該煙道ガスから不純物を吸収するための上方の小直径の吸収セクションと、
前記大直径のタンクセクションと前記小直径の吸収セクションとの間をある角度で伸延し、前記大直径のタンクセクションと前記小直径の吸収セクションとの間にガス及び液体のための液密の且つ気密の通路を形成する切頭円錐形状の移行構造部分にして、前記上方の小直径の吸収セクションが、該上方の小直径の吸収セクションからの液体スラリの落下領域を大直径のタンクセクションの中心部に制限し、かくして該上方の小直径の吸収セクションの周囲に、煙道ガスが低速下に拡散され且つ一様に分与される低抵抗の煙道ガス通路を提供するところの、落下する液体スラリの無い環状の移行領域を残す切頭円錐形状の移行構造部分と、
下方の大直径のタンクセクションと上方の小直径の吸収セクションとの間で切頭円錐形状の移行構造部分に接続され且つ該切頭円錐形状の移行構造部分と連通し、該切頭円錐形状の移行構造部分を介して吸収塔に煙道ガスを流入させるための入口ハウジングにして、該入口ハウジングの下方プレートを０．３〜３．０ｍ程越えて伸延する上部プレートを有し、該上部プレートが入口ハウジングに、該入口ハウジング内への液体スラリの逆流に対する保護を提供する入口ハウジングと、を含む入口アセンブリと、
からなる吸収塔を提供することであり、また、
２．上方の小直径の吸収セクションと、下方の大直径のタンクセクションとを有する吸収塔を使用して煙道ガスから汚染物質を吸収するための方法であって、
前記大直径のタンクセクションと前記小直径の吸収セクションとの間をある角度で伸延し、前記大直径のタンクセクションと前記小直径の吸収セクションとの間にガス及び液体のための液密の且つ気密の通路を形成する切頭円錐形状の移行構造部分にして、前記上方の小直径の吸収セクションが、該上方の小直径の吸収セクションからの液体スラリの落下領域を大直径のタンクセクションの中心部に制限し、かくして該上方の小直径の吸収セクションの周囲に、煙道ガスが低速下に拡散され且つ一様に分与される低抵抗の煙道ガス通路を提供するところの、落下する液体スラリの無い環状の移行領域を残す切頭円錐形状の移行構造部分を使用して、前記大直径のタンクセクションの上端を吸収セクションの下端に結合すること、
下方の大直径のタンクセクションと上方の小直径の吸収セクションとの間で切頭円錐形状の移行構造部分に接続され且つ該切頭円錐形状の移行構造部分と連通し、該切頭円錐形状の移行構造部分を介して吸収塔に煙道ガスを流入させるための入口ハウジングにして、該入口ハウジングの下方プレートを０．３〜３．０ｍ程越えて伸延する上部プレートを有し、該上部プレートが入口ハウジングに、該入口ハウジング内への液体スラリの逆流に対する保護を提供する入口ハウジングを通して煙道ガスを前記切頭円錐形状の移行構造部分内に搬送することにより、該煙道ガスを、前記環状の切頭円錐形状の移行領域の周囲に容易に拡散させ且つ吸収セクションの周囲に一様に分与させ、吸収セクション内部を上昇させること、
吸収セクション内の煙道ガス中に吸収用の液体を噴霧すること、
を含む方法を提供することである。
【０００８】
（課題を解決するための手段）
本発明によれば、下方の大直径のタンクセクションにして、該大直径のタンクセクション内の液体スラリ高さ位置に上昇する吸収用の液体スラリを受けるための大直径のタンクセクションと、前記液体スラリと、再循環される液体スラリとよりなる液体洗浄剤を煙道ガスと混合させ、該煙道ガスから不純物を吸収するための上方の小直径の吸収セクションと、
前記大直径のタンクセクションと前記小直径の吸収セクションとの間をある角度で伸延し、前記大直径のタンクセクションと前記小直径の吸収セクションとの間にガス及び液体のための液密の且つ気密の通路を形成する切頭円錐形状の移行構造部分にして、前記上方の小直径の吸収セクションが、該上方の小直径の吸収セクションからの液体スラリの落下領域を大直径のタンクセクションの中心部に制限し、かくして該上方の小直径の吸収セクションの周囲に、煙道ガスが低速下に拡散され且つ一様に分与される低抵抗の煙道ガス通路を提供するところの、落下する液体スラリの無い環状の移行領域を残す切頭円錐形状の移行構造部分と、
下方の大直径のタンクセクションと上方の小直径の吸収セクションとの間で切頭円錐形状の移行構造部分に接続され且つ該切頭円錐形状の移行構造部分と連通し、該切頭円錐形状の移行構造部分を介して吸収塔に煙道ガスを流入させるための入口ハウジングにして、該入口ハウジングの下方プレートを０．３〜３．０ｍ程越えて伸延する上部プレートを有し、該上部プレートが入口ハウジングに、該入口ハウジング内への液体スラリの逆流に対する保護を提供する入口ハウジングと、を含む入口アセンブリと、
からなる吸収塔が提供され、また、
上方の小直径の吸収セクションと、下方の大直径のタンクセクションとを有する吸収塔を使用して煙道ガスから汚染物質を吸収するための方法であって、
前記大直径のタンクセクションと前記小直径の吸収セクションとの間をある角度で伸延し、前記大直径のタンクセクションと前記小直径の吸収セクションとの間にガス及び液体のための液密の且つ気密の通路を形成する切頭円錐形状の移行構造部分にして、前記上方の小直径の吸収セクションが、該上方の小直径の吸収セクションからの液体スラリの落下領域を大直径のタンクセクションの中心部に制限し、かくして該上方の小直径の吸収セクションの周囲に、煙道ガスが低速下に拡散され且つ一様に分与される低抵抗の煙道ガス通路を提供するところの、落下する液体スラリの無い環状の移行領域を残す切頭円錐形状の移行構造部分を使用して、前記大直径のタンクセクションの上端を吸収セクションの下端に結合すること、
下方の大直径のタンクセクションと上方の小直径の吸収セクションとの間で切頭円錐形状の移行構造部分に接続され且つ該切頭円錐形状の移行構造部分と連通し、該切頭円錐形状の移行構造部分を介して吸収塔に煙道ガスを流入させるための入口ハウジングにして、該入口ハウジングの下方プレートを０．３〜３．０ｍ程越えて伸延する上部プレートを有し、該上部プレートが入口ハウジングに、該入口ハウジング内への液体スラリの逆流に対する保護を提供する入口ハウジングを通して煙道ガスを前記切頭円錐形状の移行構造部分内に搬送することにより、該煙道ガスを、前記環状の切頭円錐形状の移行領域の周囲に容易に拡散させ且つ吸収セクションの周囲に一様に分与させ、吸収セクション内部を上昇させること、
吸収セクション内の煙道ガス中に吸収用の液体を噴霧すること、
を含む方法が提供される。
前記本発明によれば、湿潤／乾燥インターフェース位置での固形物付着に対して保護され、液体カーテン密度が、保護覆い無しの設計形状における入口位置で観察されるそれと同じである改良されたガス入口が提供される。この入口設計形状では、ガス通路に高密度の厚い液体カーテンの形成が促進されることが無く、それにより、保護覆いを取り付けた入口設計形状で経験される寄生的な圧力低下が減少される。この入口設計形状では、入口は、大直径のタンクと、小直径の吸収セクションとの間の移行構造部分に配置される。
本発明を成功裏に適用することで、評価コストは最新の設計形状のものよりも約百万ドル減少し、侵入型の保護覆い付きの設計形状のものよりも約二百万ドル以上のコスト節約になると考えられる。
【０００９】
本発明による入口設計形状は、フレア付きのタンクを備えた吸収塔に好適なものである。入口は、タンクと吸収セクションとの間の移行構造部分に位置付けられる。この位置としたことで、入口の上部プレートが下方プレートを越えて約０．３〜３ｍ（約１〜１０フィート）伸延する。この延長部分が、高温のガスセクション内に逆流する液体スラリから入口を自然に保護する。直径の小さい吸収セクションが、液体の落下領域をタンクの中心部に制限し、それにより、落下する液体スラリの周囲にはガス流れのために入手することのできる環状の空間が残される。この構成では、入口バッスル部が不要であり、前述の環状の空間が、低抵抗のガス通路を提供する。落下する液体スラリは、流入するガスに旋回効果を与え、斯くして、移行構造部分の周囲に沿ってのガス分与を促進する。入口の側壁は、切頭円錐形状の移行構造部分の輪郭を追随する。入口をスプラッシュから保護するための側方シールドを設けることができる。しかしながら、側方シールドの設置はケースバイケースである。タンクと吸収セクションとの間の円滑な移行構造部分は、吸収セクション内でガスを緩やかに且つ一様に収縮させるための手段を提供する。
【００１０】
（実施例の説明）
図面を参照して説明するに、図３及び図４には、本発明の吸収塔が全体を番号１０で示され、下方の、比較的直径の大きいタンクセクション２０を有し、タンクセクション２０は、上方の、比較的直径の小さい吸収セクション２２に移行構造部分２４を介して結合されている。移行構造部分２４は、タンクセクション２０と吸収セクション２２との間のガス及び液体のための、液密の且つ気密の通路を形成する。
従来と同様、タンクセクション２０は、吸収液からなるスラリと、吸収プロセスにより生じた粒状物及び不純物とを、移行構造部分２４の下方の、番号２６で示す高さ位置にまで含んでいる。従来の吸収塔と同様、脱硫煙道ガスのためのガス吸収体である吸収セクション２２は、上昇する煙道ガスと落下する液体とを分割し、これら２つの流体を相互に良好に交換させるべく助成する穴あきプレート、あるいはトレー３０を有している。図３では３つが示される複数の噴霧ヘッダ３２が、トレー３０の上方に間隔を置いて配置され、タンク２０から再循環される幾分かのスラリと、石灰石スラリあるいは石灰スラリの形態の吸収用流体を受ける。ミスト一次除去装置３４が、吸収塔２２の内部容積を横断して吸収体噴霧ヘッダ３２の上方を伸延する。このミスト一次除去装置３４の上方にオーバー噴霧ヘッダ３６を設け、このオーバー噴霧ヘッダ３６の上方にミスト二次去装置３８を設けることができる。スクラビング処理されたガスは、図３で番号４０で概略例示する上方ガス出口を通して排出される。
【００１１】
本発明に従えば、煙道ガスは最初に、矢印４４で概略示すように入口ハウジング４２を通して吸収塔１０に入る。入口ハウジング４２は移行構造部分２４と連通する開口を有し、また、移行構造部分２４は、代表的な高さＸ及び幅Ｙに関しＸ対Ｙであるところのアスペクト比を有し、吸収塔に入るガス４４を受ける。高さＸは移行構造部分２４の高さに制限され、幅Ｙは移行構造部分の円周方向に部分的に沿って伸延する。図４には、スラリのための既知の再循環構造の一部を形成する再循環導管４６が例示される。
【００１２】
対照的に、図６には既知の吸収塔が全体を番号１００で示され、下方のタンク１２０と、上方の吸収セクション１２２と、移行構造部分１２４とを有している。タンク１２０からのスラリを再循環させるための再循環構造部分１４６も設けられている。従来技術によると、入口ハウジング１４２は上方の吸収セクション１２２に結合され且つ連通され、そのために先に述べたような問題を有している。
【００１３】
図５には移行構造部分２４の入口ハウジング４２を通して流入するガス流れが、液体のない環状の移行領域の周囲を容易に拡散し、吸収セクション２２の周囲に一段と一様に分配される様子が例示される。これは、主に、吸収セクションの周囲の環状の空間内における移行領域では液体が極めて僅かしか存在せず、従って、ガスがこの環状部分に沿って迅速且つ容易に、自由拡散することによるものである。
図７は、図６と類似しているが、入口ハウジング１４２を通る全てのガス流れは、先ず、液体を含む吸収セクション１２２の一方の側に制限される。
【００１４】
入口ハウジング１４２の高さ（Ｘ）が移行構造部分２４の高さを決定し、角度２５の部分が移行構造部分の角度を決定する。移行構造部分の角度は約１５〜約９０度の範囲で使用することができる。更に急な角度（約１５度未満の）を使用しても良い。入口ハウジング１４２の幅（Ｙ）は通常、構造目的上、上端角度が約９０度である扇形の幅に限定される。吸収塔シェルの中間に、ガス入口を機械的設計上の要求に応じて２つ以上のセクションに分割するための負荷担持セクションを設けない、あるいはそうしたセクションを設けた状態で、もっと大きな、吸収塔の直径全体を跨ぐ入口幅を使用することもできる。
【００１５】
気／液流れ中に突出する保護覆いがないことで、液体カーテンの密度が、保護覆い無しのそれと比較し得る密度に減少され、それにより、寄生する圧力低下の大きさが、保護覆い無しの設計形状のそれへと減少される。更に、タンクの周囲に沿って液体のない環状部分が形成されることで、ガスが低速下に拡散され得る。ガス速度が急減することにより、従来設計形状では消費されていた速度圧の幾分かが回収されるようになる。ガスが冷却され且つ湿潤化されるに従い、より一層の速度圧回収が期待される。しかしながら、この速度圧回収は現在の入口設計形状においても経験されるものである。
【００１６】
本発明の入口設計形状を適用することにより実現される利益は以下の如くである。
１．移行構造部分内に入口を位置付けたことにより、液体カーテンの圧力低下量に等しい量において、入口圧力低下が減少される。環状部分におけるガス速度がずっと低いこと及びガスがより良好に分与されることにより、圧力低下の追加的な減少が得られる。
２．吸収セクションにおける良好なガス分与が、気液接触を最大化し且つ吸収塔の除去効率を最適化する。
３．吸収塔の全高の低下は約０．７〜０．９ｍ（約２．５〜３フィート）と最小であり、この高さ分が、本発明の保護覆い設計形状を収受するために追加される。
【００１７】
４．デザインがシンプルであることから、従来の高速型の入口設計形状で必要とされていた外付けのバッスル部が不要化される。
５．約０．６〜０．９ｍ（約２〜３フィート）噴霧ヘッダを下げたことから、ポンプ電力が低下され、吸収塔設計上の経済性が改善される。
６．保護覆い及び二重底構造のために使用する合金材料が減少される。
７．側方シールドの使用が排除され、あるいはもっと小型化されることにより、高合金材料の使用量が一段と減少され、環状部分におけるガス速度の低下が促進される。
８．バッスル部が不要化されることにより、材料条件並びに吸収塔の全体重量が低減される。
９．環状部分はタンクの周囲に沿ってガスを分与するために設けられることから、吸収セクションの底部位置での良好なガス分与が提供されることが期待される。
１０．落下する液体スラリの効果により環状部分に発生する旋回が、吸収塔抵抗を測定し得るほどに低下させ得る。
【００１８】
図８には移行構造部分２４の１つの実施例が示され、吸収セクション２２の下方の開放端の周囲を３６０度に渡り伸延する上方棚部スカート２７をも含み得る。
図９では、移行構造部分が図８の位置から円周方向に偏倚され、入口ハウジング４２が例示されている。上方棚部２７が入口ハウジング４２を横断して伸延している。
以上、本発明を実施例を参照して説明したが、本発明の内で種々の変更をなし得ることを理解されたい。
【００１９】
（発明の効果）
１．吸収塔であって、
下方の大直径のタンクセクションにして、該大直径のタンクセクション内の液体スラリ高さ位置に上昇する吸収用の液体スラリを受けるための大直径のタンクセクションと、
前記液体スラリと、再循環される液体スラリとよりなる液体洗浄剤を煙道ガスと混合させ、該煙道ガスから不純物を吸収するための上方の小直径の吸収セクションと、
前記大直径のタンクセクションと前記小直径の吸収セクションとの間をある角度で伸延し、前記大直径のタンクセクションと前記小直径の吸収セクションとの間にガス及び液体のための液密の且つ気密の通路を形成する切頭円錐形状の移行構造部分にして、前記上方の小直径の吸収セクションが、該上方の小直径の吸収セクションからの液体スラリの落下領域を大直径のタンクセクションの中心部に制限し、かくして該上方の小直径の吸収セクションの周囲に、煙道ガスが低速下に拡散され且つ一様に分与される低抵抗の煙道ガス通路を提供するところの、落下する液体スラリの無い環状の移行領域を残す切頭円錐形状の移行構造部分と、
下方の大直径のタンクセクションと上方の小直径の吸収セクションとの間で切頭円錐形状の移行構造部分に接続され且つ該切頭円錐形状の移行構造部分と連通し、該切頭円錐形状の移行構造部分を介して吸収塔に煙道ガスを流入させるための入口ハウジングにして、該入口ハウジングの下方プレートを約０．３〜３．０ｍ越えて伸延する上部プレートを有し、該上部プレートが入口ハウジングに、該入口ハウジング内への液体スラリの逆流に対する保護を提供する入口ハウジングと、を含む入口アセンブリと、
からなる吸収塔、が提供され、また、
２．上方の小直径の吸収セクションと、下方の大直径のタンクセクションとを有する吸収塔を使用して煙道ガスから汚染物質を吸収するための方法であって、
前記大直径のタンクセクションと前記小直径の吸収セクションとの間をある角度で伸延し、前記大直径のタンクセクションと前記小直径の吸収セクションとの間にガス及び液体のための液密の且つ気密の通路を形成する切頭円錐形状の移行構造部分にして、前記上方の小直径の吸収セクションが、該上方の小直径の吸収セクションからの液体スラリの落下領域を大直径のタンクセクションの中心部に制限し、かくして該上方の小直径の吸収セクションの周囲に、煙道ガスが低速下に拡散され且つ一様に分与される低抵抗の煙道ガス通路を提供するところの、落下する液体スラリの無い環状の移行領域を残す切頭円錐形状の移行構造部分を使用して、前記大直径のタンクセクションの上端を吸収セクションの下端に結合すること、
下方の大直径のタンクセクションと上方の小直径の吸収セクションとの間で切頭円錐形状の移行構造部分に接続され且つ該切頭円錐形状の移行構造部分と連通し、該切頭円錐形状の移行構造部分を介して吸収塔に煙道ガスを流入させるための入口ハウジングにして、該入口ハウジングの下方プレートを約０．３〜３．０ｍ越えて伸延する上部プレートを有し、該上部プレートが入口ハウジングに、該入口ハウジング内への液体スラリの逆流に対する保護を提供する入口ハウジングを通して煙道ガスを前記切頭円錐形状の移行構造部分内に搬送することにより、該煙道ガスを、前記環状の切頭円錐形状の移行領域の周囲に容易に拡散させ且つ吸収セクションの周囲に一様に分与させ、吸収セクション内部を上昇させること、
吸収セクション内の煙道ガス中に吸収用の液体を噴霧すること、
を含む方法、が提供される。
【図面の簡単な説明】
【図１】従来の吸収塔の概略部分例示図である。
【図２】別の従来の吸収塔の概略部分例示図である。
【図３】本発明に従う吸収塔の概略部分断面側面図である。
【図４】本発明の吸収塔の側面図である。
【図５】図４を線５−５に沿って切断した概略断面図である。
【図６】従来の吸収塔の、図４と類似の概略側面図である。
【図７】図６を線７−７に沿って切断した概略断面図である。
【図８】本発明の吸収塔の移行構造部分を示す部分断面側面図である。
【図９】本発明の入口アセンブリを例示する移行構造部分の構造を示す、図８と類似の部分断面側面図である。
【符号の説明】
１０  吸収塔
２０  タンクセクション
２２  吸収セクション
２４  移行構造部分
３０  トレー
３２  吸収体噴霧ヘッダ
３４  ミスト一次除去装置
３６  オーバー噴霧ヘッダ
３８  ミスト二次去装置
４０  上方ガス出口
４２  入口ハウジング
４４  ガス
４６  再循環導管
【図１】
0003549484.tif 000003
【図２】
0003549484.tif 000004
【図３】
0003549484.tif 000005
【図４】
0003549484.tif 000006
【図５】
0003549484.tif 000007
【図６】
0003549484.tif 000008
【図７】
0003549484.tif 000009
【図８】
0003549484.tif 000010
【図９】
0003549484.tif 000011